(57)【要約】【課題】使用された複数のファンクション機能を第３のボタンに記憶し、この第３のボタンが押される度に、使用されたファンクション機能を順に表示する。【解決手段】キー入力部はファンクションボタン、第３のボタン等から成り、装置が待機状態の時（Ｓ１）、第３のボタンが押されると（Ｓ２）、一番最近に使用されたファンクション機能を表示部に表示する（Ｓ３）。ここでファンクション機能を使用する操作が行われれば（Ｓ４）、ファンクション機能を実行する（Ｓ９）。ファンクション機能を使用する操作が行われずに第３のボタンが押されると（Ｓ５）、２番目に新しいファンクション機能を表示する（Ｓ６）。その間、ファンクションを使用する操作が行われずにまた第３のボタンが押されれば次に新しいファンクション機能を表示し、これを繰り返す。またその間にファンクション機能を使用する操作が行われれば、ファンクション機能を実行する（Ｓ７）。【選択図】図１
2006059380.tif 000002
【特許請求の範囲】
【請求項１】
装置の状態情報や操作ガイダンス情報等を表示する表示器と操作入力情報を入力するためのファンクションボタンとその他のボタンと第３のボタンを備えた通信装置において、使用された複数のファンクション機能を前記第３のボタンに記憶しておき、該第３のボタンが押されるたびに、使用されたファンクション機能を順に前記表示器に表示することを特徴とする通信装置。
【請求項２】
前記第３のボタンが押されるたびに、使用されたファンクション機能を前記表示器に表示する順番は、一番最近に使用されたファンクション機能から新しい順に表示することを特徴とする請求項１に記載の通信装置。
【請求項３】
前記第３のボタンに記憶されているファンクション機能と同じファンクション機能が使用された場合、そのファンクション機能を一番最近使用されたファンクション機能として記憶し、前記表示器に表示する順番を変更することを特徴とする請求項２に記載の通信装置。
【請求項４】
前記第３のボタンに記憶されているファンクション機能と同じファンクション機能が使用された場合には、該第３のボタンに記憶されているファンクション機能とその表示順番を変更しないことを特徴とする請求項２に記載の通信装置。
【請求項５】
前記第３のボタンに記憶している一番古いファンクション機能を表示した次は、一番新しいファンクション機能を表示することを特徴とする請求項２に記載の通信装置。
【請求項６】
前記第３のボタンに記憶するファンクション機能の記憶容量が余っている状態で、前記第３のボタンに記憶されているファンクション機能と異なるファンクション機能が使用された場合は、該第３のボタンに使用されたファンクション機能を追加記憶することを特徴とする請求項１に記載の通信装置。
【請求項７】
前記第３のボタンに記憶するファンクション機能の記憶容量が残っていない状態で、前記第３のボタンに記憶されているファンクション機能と異なるファンクション機能が使用された場合は、該第３のボタンに記憶されている一番古いファンクション機能を削除し、使用されたファンクション機能を一番新しいファンクション機能として記憶することを特徴とする請求項１に記載の通信装置。
【請求項８】
前記第３のボタンが押されるたびに、使用されたファンクション機能を順に前記表示器に表示し、使用したいファンクション機能が表示されている時に、ファンクション機能を使用する操作は、前記ファンクションボタンで選択されたファンクション機能を操作するのと同じ操作でそのファンクション機能を使用することができることを特徴とする請求項１に記載の通信装置。
【発明の詳細な説明】
【技術分野】
【０００１】
本発明は、通信装置、より詳細には、ファクシミリ，電話，携帯電話等の通信装置において、複数のファンクション機能が記憶されている第３のボタンを有し、該第３のボタンを押すたびに、使用されたファンクション機能を順に表示器に表示するようにし、少ないタッチで使いたいファンクション機能を呼びだすことが出来、しかも、選択し易いようにした通信装置に関する。
【背景技術】
【０００２】
ファクシミリ，電話機，携帯電話等の通信装置において、従来、ファンクション番号は機能種類別に割り当てられており、決して使用頻度の高い機能が若い番号に割り当てられていないので、使用したいファンクションを探しづらい。また、ファンクション番号が２桁になると、憶えるのが難しく使用したいファンクションをなかなか見つけられない。メニュー形式で表示器に表示されファンクションを選択する方式も選択するまでの操作に工数がかかる等の問題があった。
【発明の開示】
【発明が解決しようとする課題】
【０００３】
本発明は、上述のごとき実情に鑑みてなされたもので、使用された複数のファンクション機能を第３のボタンに記憶しておき、この第３のボタンが押されるたびに、使用されたファンクション機能を順に表示器に表示するようにして、少ないタッチで、使いたいファンクション機能を呼び出すことができるようにすることを目的とするものである。
【課題を解決するための手段】
【０００４】
請求項１の発明は、装置の状態情報や操作ガイダンス情報等を表示する表示器と操作入力情報を入力するためのファンクションボタンとその他のボタンと第３のボタンを備えた通信装置において、使用された複数のファンクション機能を前記第３のボタンに記憶しておき、該第３のボタンが押されるたびに、使用されたファンクション機能を順に表示器に表示することを特徴とし、もって、少ないタッチで使いたいファンクション機能を呼び出すことが出来、しかも、選択し易いようにしたものである。
【０００５】
請求項２の発明は、請求項１の発明において、前記第３のボタンが押されるたびに、使用されたファンクション機能を前記表示器に表示する順番を、一番最近に使用されたファンクション機能から新しい順に表示することを特徴とし、もって、使用頻度が高いファンクション機能を最初に選択することが出来るようにしたものである。
【０００６】
請求項３の発明は、請求項２の発明において、前記第３のボタンに記憶されているファンクション機能と同じファンクション機能が使用された場合、そのファンクション機能を一番最近使用されたファンクション機能として記憶し、表示する順番を変更することを特徴とし、もって、使用頻度が高いファンクション機能を最初に選択することが出来るようにしたものである。
【０００７】
請求項４の発明は、請求項２の発明において、前記第３のボタンに記憶されているファンクション機能と同じファンクション機能が使用された場合には、該第３のボタンに記憶されているファンクション機能とその表示順番を変更しないことを特徴とし、もって、順番が変わることがないようにして順番を憶えやすいようにしたものである。
【０００８】
請求項５の発明は、請求項２の発明において、前記第３のボタンに記憶している一番古いファンクション機能を表示した次は、一番新しいファンクション機能を表示することを特徴とし、もって、少ないタッチでファンクション機能を呼び出すことが出来るようにしたものである。
【０００９】
請求項６の発明は、請求項１の発明において、前記第３のボタンに記憶するファンクション機能の記憶容量が余っている状態で、該第３のボタンに記憶されているファンクション機能と異なるファンクション機能が使用された場合は、該第３のボタンに使用されたファンクション機能を追加記憶することを特徴とし、もって、該第３のボタンに使用されたファンクション機能を追加記憶するようにし、記憶容量がなくなるまで新規のファンクション機能を記憶することが出来るようにしたものである。
【００１０】
請求項７の発明は、請求項１の発明において、前記第３のボタンに記憶するファンクション機能の記憶容量が残っていない状態で、該第３のボタンに記憶されているファンクション機能と異なるファンクション機能が使用された場合は、該第３のボタンに記憶されている一番古いファンクション機能を削除し、使用されたファンクション機能を一番新しいファンクション機能として記憶することを特徴とし、もって、第３のボタンに記憶されるファンクション機能を常に新しいものに保つことが出来るようにしたものである。
【００１１】
請求項８の発明は、請求項１の発明において、前記第３のボタンが押されるたびに、使用されたファンクション機能を順に表示器に表示し、使用したいファンクション機能が表示されている時に、ファンクション機能を使用する操作は、ファンクションボタンで選択されたファンクション機能を操作するのと同じ操作でそのファンクション機能を使用することができることを特徴とし、もって、ファンクションボタンで選択されたファンクション機能を操作するのと同じ操作でそのファンクション機能を使用することができるようにして操作を分かりやすくしたものである。
【発明の効果】
【００１２】
請求項１の発明は、装置の状態情報や操作ガイダンス情報等を表示する表示器と操作入力情報を入力するためのファンクションボタンとその他のボタンと第３のボタンを備えた通信装置において、使用された複数のファンクション機能を前記３ボタンに記憶しておき、該第３ボタンが押されるたびに、使用されたファンクション機能を順に表示器に表示するようにしたので、少ないタッチで使いたいファンクション機能を呼び出すことが出来、しかも、選択し易い。
【００１３】
請求項２の発明は、請求項１の発明において、前記第３のボタンが押されるたびに、使用されたファンクション機能を表示器に表示する順番は、一番最近に使用されたファンクション機能から新しい順に表示するようにしたので、使用頻度が高いファンクション機能を最初に選択することが出来る。
【００１４】
請求項３の発明は、請求項２の発明において、前記第３のボタンに記憶されているファンクション機能と同じファンクション機能が使用された場合は、そのファンクション機能を一番最近使用されたファンクション機能として記憶し、表示する順番を変更するようにしたので、使用頻度が高いファンクション機能を最初に選択することが出来る。
【００１５】
請求項４の発明は、請求項２の発明において、前記第３のボタンに記憶されているファンクション機能と同じファンクション機能が使用された場合には、該第３のボタンに記憶されているファンクション機能とその表示順番を変更しないようにしたので、順番が変わることがなく、従って、順番が憶えやすい。
【００１６】
請求項５の発明は、請求項２の発明において、前記第３のボタンに記憶している一番古いファンクション機能を表示した次は、一番新しいファンクション機能を表示するようにしたので、少ないタッチでファンクション機能を呼び出すことが出来る。
【００１７】
請求項６の発明は、請求項１の発明において、前記第３のボタンに記憶するファンクション機能の記憶容量が余っている状態で、該第３のボタンに記憶されているファンクション機能と異なるファンクション機能が使用された場合は、該第３のボタンに使用されたファンクション機能を追加記憶するようにしたので、記憶容量がなくなるまで新規のファンクション機能を記憶することが出来る。
【００１８】
請求項７の発明は、請求項１の発明において、前記第３のボタンに記憶するファンクション機能の記憶容量が残っていない状態で、該第３のボタンに記憶されているファンクション機能と異なるファンクション機能が使用された場合は、該第３のボタンに記憶されている一番古いファンクション機能を削除し、使用されたファンクション機能を一番新しいファンクション機能として記憶するようにしたので、第３のボタンに記憶されるファンクション機能を常に新しいものに保つことが出来る。
【００１９】
請求項８の発明は、請求項１の発明において、前記第３のボタンが押されるたびに、使用されたファンクション機能を順に表示器に表示し、使用したいファンクション機能が表示されている時に、ファンクション機能を使用する操作は、ファンクションボタンで選択されたファンクション機能を操作するのと同じ操作でそのファンクション機能を使用することができるようにしたので、ファンクション機能を使用する操作を、ファンクションボタンで選択されたファンクション機能を操作するのと同じ操作でそのファンクション機能を使用することができ、従って、操作が分かりやすい。
【発明を実施するための最良の形態】
【００２０】
図１は、本発明による通信装置の一実施例を示すブロック図で、ＣＰＵ１はこの装置あるいはシステム全体を制御するCentral  Prossesing  Unitである。ＲＯＭ２にはこの装置あるいはシステム全体を制御するためのファームウェアが格納されており、ＣＰＵ１はそのプログラムによって動作する。ＲＡＭ３にはＣＰＵ１が動作する上で必要なワークエリアが形成され、ＣＰＵ１によってデータの一時記憶装置として使用される。ＦＲＯＭ４はシステムに必要な情報を記憶するメモリであり、第３のボタンに記憶されるファンクション機能の種類情報や使用されたファンクション機能の新旧情報等がここに記憶される。なお、このＦＲＯＭ４は電池でバックアップされたＲＡＭでも代用できる。キー入力部５はファンクションボタン（メニューボタンとも呼ばれる），その他のボタン，第３のボタン等から成るもので、装置へ操作情報等を伝えるものである。その他のボタンは例えばファンクション番号を入力するためのテンキーや、ファンクションメニューを選択するための矢印ボタン（カーソル移動ボタン）でも良い。また、この第３のボタンはファンクション機能を記憶し呼び出すだけの機能を持つ専用のボタンでも良いし、他の機能を持っていてしかも装置の待機状態では使用されないボタンで兼用しても良い。表示部６は装置の状態情報や操作ガイダンス情報等を表示するものである。
【００２１】
図２は、請求項１，２，５，８の発明を説明するためのフローチャートで、装置が待機状態の時（Ｓ１）、第３のボタンが押されると（Ｓ２）、一番最近に使用されたファンクション機能を表示器６に表示する（Ｓ３）。ここでファンクション機能を使用する操作が行われれば（Ｓ４）、ファンクション機能を実行する（Ｓ９）。ファンクション機能を使用する操作が行われず、第３のボタンが押されると（Ｓ５）、２番目に新しいファンクション機能を表示器に表示する（Ｓ６）。その間、ファンクションを使用する操作が行われずにまた第３のボタンが押されれば次に新しいファンクション機能を表示し、これを繰り返す。またその間にファンクション機能を使用する操作が行われれば、ファンクション機能を実行する（Ｓ７）。ファンクション機能を順次表示し、一番古いファンクション機能を表示した後に、第３のボタンが押されれば（Ｓ８）また一番最近に使用されたファンクション機能を表示（Ｓ８）、これを繰り返す。
【００２２】
図３は、請求項３，６，７の発明を説明するためのフローチャートで、ファンクション機能が使用されると（Ｓ１１）、それが第３のボタンですでに登録されているかどうかを判断する（Ｓ１２）。もし、同じファンクション機能が記憶されていれば、その順番を一番新しいものに変更する（Ｓ１３）。また、同じファンクション機能が記憶されていない場合、その記憶容量が残っているかを判断する（Ｓ１４）。もし、残っていなければ一番古いファンクション機能を削除し（Ｓ１５）、使用されたファンクション機能を最新として記憶する。満杯でなければ、使用されたファンクション機能を最新として追加記憶する（Ｓ１６）。
【００２３】
図４は、請求項４，６，７の発明を説明するためのフローチャートで、ファンクション機能が使用されると（Ｓ１１）、それが第３のボタンにすでに登録されているかどうかを判断する（Ｓ１２）。もし、同じファンクション機能が記憶されていれば、その順番は変更しない。その他のステップＳ１４〜ステップＳ１６は図３で説明したフローチャートと同じ動作である。
【図面の簡単な説明】
【００２４】
【図１】本発明による通信装置の一実施例を示すブロック図である。
【図２】本発明の実施例を説明するためのフローチャートである。
【図３】本発明の他の実施例を説明するためのフローチャートである。
【図４】本発明の更に他の実施例を説明するためのフローチャートである。
【符号の説明】
【００２５】
１…ＣＰＵ、２…ＲＯＭ、３…ＲＡＭ、４…ＦＲＯＭ、５…キー入力部、６…表示部。
【図１】
2006059380.tif 000003
【図２】
2006059380.tif 000004
【図３】
2006059380.tif 000005
【図４】
2006059380.tif 000006